(57)【要約】【課題】ガス抜き作業性および製造性の良好なエアゾール容器用キャップを提供する。【解決手段】天板部４の筒状側面部５の下端部をエアゾール容器２に係合させることにより、該エアゾール容器２の噴射部３を覆うエアゾール容器用キャップ１において、前記天板部４に押し下げ部６が設けられるとともに、前記噴射部３を押圧して前記エアゾール容器２の内容物を噴出させる突出部７が、前記押し下げ部６の下面側に形成され、前記押し下げ部６がその中心部を中心とした対称位置で天板部４より下方に設けられた板片状の連結部８によって前記天板部４に連結され、その連結された部分以外の連結部８及び前記押し下げ部６は前記天板部４と一体の部分に対して離間され、その連結部８と前記押し下げ部６および前記天板部４に繋いでいる境界部９，１０および前記連結部８を前記筒状側面部５に繋いでいる境界部９，１０が屈曲自在に構成されている。【選択図】図１
2007126211.tif 000002
【特許請求の範囲】
【請求項１】
天板部の周辺部から垂下した筒状の側面部を備え、その筒状側面部の下端部をエアゾール容器に係合させることにより、該エアゾール容器の上部に設けられている噴射部を覆うエアゾール容器用キャップにおいて、
前記天板部にキャップの内部に移動可能な押し下げ部が設けられるとともに、その押し下げ部を押し下げた場合に、前記噴射部に当接して該噴射部を押圧して前記エアゾール容器の内容物を噴出させる突出部が、前記押し下げ部の下面側に形成され、前記押し下げ部の中心部を中心とした対称位置で天板部より下方に設けられた板片状の連結部によって前記押し下げ部が前記筒状側面部に連結され、その連結された部分以外の連結部及び前記押し下げ部は前記天板部と一体の部分に対して離間され、その連結部と前記押し下げ部に繋いでいる境界部および前記連結部を前記筒状側面部に繋いでいる境界部が屈曲自在に構成されていることを特徴とするエアゾール容器用キャップ。
【請求項２】
前記連結部を前記天板部に繋いでいる前記境界部が、前記押し下げ部が前記噴射部から離隔している位置から前記噴射部を押し下げる位置までのストローク範囲での中間部に位置していることを特徴とする請求項１に記載のエアゾール容器用キャップ。
【請求項３】
前記天板部のうち前記押し下げ部が前記境界部を介して繋がれている部分であって前記連結部に相当する部分が、前記天板部の他の部分に対して窪んでいることを特徴とする請求項１または２に記載のエアゾール容器用キャップ。
【請求項４】
前記突出部が前記噴射部に当接して該噴射部を押し下げる位置まで前記押し下げ部が下降させられた場合に該押し下げ部が係合してその下降位置に前記押し下げ部を留め置く係止部が設けられていることを特徴とする請求項１ないし３のいずれかに記載のエアゾール容器用キャップ。
【請求項５】
前記連結部は、前記押し下げ部および天板部よりも剛性の低い柔軟構造を有していることを特徴とする請求項４に記載のエアゾール容器用キャップ。
【請求項６】
前記柔軟構造は、前記連結部の少なくとも一部が、前記押し下げ部および天板部より薄肉化された構造を含むことを特徴とする請求項５に記載のエアゾール容器用キャップ。
【請求項７】
前記押し下げ部もしくは連結部を前記天板部もしくは天板部と一体の部分に連結しかつ前記押し下げ部を押し下げることにより破断するブリッジ部が設けられていることを特徴とする請求項１ないし６のいずれかに記載のエアゾール容器用キャップ。
【発明の詳細な説明】
【技術分野】
【０００１】
本発明は、圧縮ガスを内容物と共に充填したエアゾール容器のキャップに関し、特に残留しているガスを排出するために噴射ヘッドなどの噴射部を押し下げ状態に維持する機能を備えたキャップに関するものである。
【背景技術】
【０００２】
エアゾール容器を廃棄する場合、残留ガスを予め可及的に排出しておくことが求められており、そのためのスプレー缶用蓋が特許文献１に記載され、またガス抜き治具が特許文献２に記載されている。これらの特許文献に記載された蓋もしくは治具は、上面部に、噴射ノズルもしくはステムを嵌合させる凹部を形成するとともに、その凹部に噴射ノズルもしくはステムを嵌合させた状態で、これら噴射ノズルもしくはステムと一体の天板部の巻締部に係合する係止部を設けた構成である。したがって、これらの蓋もしくは治具によっていわゆるガス抜きを行う場合、噴射ノズルもしくはステムに取り付けてある噴射ボタン（もしくは噴射ヘッド）を抜き取って噴射ノズルもしくはステムを露出させ、この状態で反転させた上記の蓋あるいは治具をスプレー缶の上部に嵌着させると、前記凹部に嵌合した噴射ノズルあるいはステムが押し下げられて内容物が噴出し、またその状態で前記係止部が巻締部に係合するので、噴射ノズルあるいはステムの押し下げ状態すなわち内容物の噴射状態を維持できる。
【０００３】
また、特許文献３には、天板部に押圧部を形成するとともに、その押圧部を湾曲した連結部によって天板部に連結した構成のキャップが記載されている。この特許文献３のキャップによれば、通常と同様の状態でエアゾール容器に取り付け、その状態で押圧部を押し下げると、連結部が弾性変形して延びることにより押圧部が噴射ヘッドに向けて下降し、その結果、噴射ヘッドが押圧されて内容物を噴射する状態に維持され、いわゆるガス抜きされる。
【特許文献１】特許第２９４１７６１号公報
【特許文献２】特許第２７２９１６３号公報
【特許文献３】特開２００４−７５１６１号公報
【発明の開示】
【発明が解決しようとする課題】
【０００４】
上述した特許文献１に記載された蓋および特許文献２に記載された治具は、いずれも、噴射ノズルあるいはステムを凹部に嵌合させて直接押圧するように構成されているので、いわゆるガス抜きを行うにあたって、噴射ヘッドあるいは噴射ボタンを取り外す必要があり、ガス抜きの作業性が悪い問題があった。また、噴射ノズルあるいはステムが一体になっている天板部の巻締部に係合させるように構成されているので、この種の巻締部のないエアゾール容器もしくはスプレー缶には使用することができず、適用できるエアゾール容器の種類が制限される不都合があった。
【０００５】
これに対して、特許文献３に記載されたキャップは、噴射ヘッドあるいは噴射ボタンを直接押圧するように構成され、また通常と同様にエアゾール容器に取り付けた状態でガス抜きできるように構成されているので、作業性が改善され、また適用できるエアゾール容器の種類の制限が緩和されている。しかしながら、この種のキャップは、製造するのに容易であり全体に弾性を付与する必要性などから合成樹脂で形成されるのに対して、特許文献３のキャップでは、押圧部を天板部に繋ぐ連結部が湾曲した形状をなしており、しかもその連結部が隙間もしくは薄肉の弱化部によって区画されているから、キャップを射出成形する場合、連結部への樹脂の流動性が悪く、キャビティの全体に樹脂が行き渡らないいわゆるショートモールドなどの成形不良を生じる可能性が高い。
【０００６】
さらに、特許文献３に記載されたキャップにおける押圧部は、天板部の中央部を窪ませて形成したものであるから、エアゾール容器の径が小さくなることに伴ってキャップが小径になった場合には、押し下げるべき押圧部が更に小径になる。そのため、押圧部を指で押し下げるとしても指が入りにくく、特に爪を伸ばしている場合には爪が天板部に引っ掛かるなどの事態が生じ、結局、ガス抜き操作性に難点があり、改善の余地があった。
【０００７】
本発明は上記の技術的課題に着目してなされたものであり、ガス抜き操作性や成型性の良好なエアゾール容器用キャップを提供することを目的とするものである。
【課題を解決するための手段】
【０００８】
上記の課題を解決するために、請求項１の発明は、天板部の周辺部から垂下した筒状の側面部を備え、その筒状側面部の下端部をエアゾール容器に係合させることにより、該エアゾール容器の上部に設けられている噴射部を覆うエアゾール容器用キャップにおいて、前記天板部にキャップの内部に移動可能な押し下げ部が設けられるとともに、その押し下げ部を押し下げた場合に、前記噴射部に当接して該噴射部を押圧して前記エアゾール容器の内容物に噴出させる突出部が、前記押し下げ部の下面側に形成され、前記押し下げ部の中心部を中心とした対称位置で天板部より下方に設けられた板片状の連結部によって前記押し下げ部が前記筒状側面部に連結され、その連結された部分以外は連結部及び前記押し下げ部は前記天板部と一体の部分に対して離間され、その連結部と前記押し下げ部に繋いでいる境界部および前記連結部を前記筒状側面部に繋いでいる境界部が屈曲自在に構成されていることを特徴とするものである。
【０００９】
また、請求項２の発明は、請求項１の発明において、前記連結部を前記天板部に繋いでいる前記境界部が、前記押し下げ部が前記噴射部から離隔している位置から前記噴射部を押し下げる位置までのストローク範囲での中間部に位置していることを特徴とするエアゾール容器用キャップである。
【００１０】
さらに、請求項３の発明は、請求項１または２の発明において、前記天板部のうち前記押し下げ部が前記境界部を介して繋がれている部分であって前記連結部に相当する部分が、前記天板部の他の部分に対して窪んでいることを特徴とするエアゾール容器用キャップである。
【００１１】
さらに、請求項４の発明は、請求項１ないし３のいずれかの発明において、前記突出部が前記噴射部に当接して該噴射部を押し下げる位置まで前記押し下げ部が下降させられた場合に該押し下げ部が係合してその下降位置に前記押し下げ部を留め置く係止部が設けられていることを特徴とするエアゾール容器用キャップである。
【００１２】
またさらに、請求項５の発明は、請求項４の発明において、前記連結部は、前記押し下げ部および天板部よりも剛性の低い柔軟構造を有していることを特徴とするエアゾール容器用キャップである。
【００１３】
そして、請求項６の発明は、請求項５の発明において、前記柔軟構造は、前記連結部の少なくとも一部が、前記押し下げ部および天板部より薄肉化された構造を含むことを特徴とするエアゾール容器用キャップである。
【００１４】
またそして、請求項７の発明は、請求項１ないし６のいずれかの発明において、前記押し下げ部もしくは連結部を前記天板部もしくは天板部と一体の部分に連結しかつ前記押し下げ部を押し下げることにより破断するブリッジ部が設けられていることを特徴とするエアゾール容器用キャップである。
【発明の効果】
【００１５】
請求項１の発明によれば、キャップをエアゾール容器に係合させた状態でその天板部に設けられた押し下げ部にこれを下降させる荷重をかけると、前記連結部を天板部および押し下げ部に繋いでいる境界部で曲げが生じ、押し下げ部がキャップの内部に向けて下降する。その結果、突出部が噴射部に当接した後、噴射部を押し下げるので、エアゾール容器から残留ガスを排出させることができる。そして、前記連結部は板片状の簡単な形状であるうえに、その連結部の押し下げ部側および天板部側に設けられた境界部は、例えば薄肉化して屈曲可能になっていればよいのでその構成は簡単であり、したがって射出成形するとしてもショートモールドなどの成形不良の可能性が少なく、製造するのに容易であり良好なものとすることができる。また、上記の板片状の連結部が、押し下げ部の中心部を通る直線上に延びて配置されているので、いわゆるガス抜きのために下降する部分のエリアすなわち押し下げ部を加圧するために指を入れるエリアが広くなり、その結果、ガス抜き操作性を向上させることができる。
【００１６】
また、請求項２の発明によれば、押し下げ部が押圧されていない通常の位置にある状態では、連結部は、天板部側の端部が下側で、かつ押し下げ部側の端部が上側となるように斜めに傾斜した向きとなる。そのため、押し下げ部に押圧力を加えた場合に連結部が反力を受け、その結果、押し下げ部が不用意に下降させられてガス抜きが生じることを抑制することができる。また反対に、押し下げ部を下降させてガス抜きを行っている状態では、連結部は、押し下げ部側の端部が下側となるように斜めに傾斜した状態となり、噴射部による押し上げ力に対する反力を連結部で受けることができ、その結果、押し下げ部をガス抜き状態の下降位置に保持することが容易になる。
【００１７】
さらに、請求項３の発明によれば、前記連結部が設けられている部分が、他の部分に対して窪んでいるので、押し下げ部を押圧する際に指を挿入し易く、したがってガス抜き操作性の良いキャップを得ることができる。
【００１８】
そして、請求項４の発明によれば、押し下げ部をガス抜き状態にまで下降させた後は、押圧力を解除してもガス抜きを確実に継続させることができ、したがってガス抜き操作性が良好になる。
【００１９】
他方、請求項５あるいは６の発明によれば、キャップをエアゾール容器に被せたまま押し下げ部を押圧すると、前記突出部が噴射部に接触して反力を受け、そのために押し下げ部が突出部と共に傾き、柔軟構造の連結部が捻れる。すなわち、連結部は、押し下げ部や突出部の姿勢を保持するようには作用しないので、キャップをエアゾール容器に取り付けたままでは、押し下げ部を安定して押し下げることができない。その結果、誤って押し下げ部を押圧したり、あるいは押し下げ部を押圧する悪戯を受けたりしても、噴射部が継続的に押し下げられたり、それに伴って内容物が継続的に噴射されたりすることを防止することができる。
【００２０】
また、請求項７の発明によれば、押し下げ部がブリッジ部によって天板部に連結されているので、押し下げ部の押し下げ操作に対してブリッジ部が抵抗力を生じ、したがってエアゾール容器を搬送している過程で押し下げ部が上下に動くなどのことを防止して搬送時に押し下げ部が押し下げられて内容物が噴射されるようなトラブルが発生しない。また、エアゾール容器の陳列状態では、ブリッジ部が破断してないことにより、悪戯の有無や未使用状態であること表すことができる。
【発明を実施するための最良の形態】
【００２１】
つぎに、本発明を図に示す具体例を参照して説明する。図１は本発明の一例を示しており、ここに示すキャップ１は、エアゾール容器（スプレー缶）２の上部に係合して噴射部である噴射ヘッド３を覆うように構成されている。すなわち、キャップ１は、天板部４と、その周辺部から垂下した筒状の側面部５とを備えていて、全体として凹形状をなしている。
【００２２】
その天板部４の中央部に、押し下げ部６が設けられている。この押し下げ部６は、その上面（外面）を押圧されることによりキャップ１の内部に移動することのできる部分であって、天板部４と上面がほぼ一致する位置に設けられている。また、押し下げ部６の形状は適宜であって、図１に示す例では、ほぼ長円形状もしくはほぼ小判形状をなしている。さらに、押し下げ部６は薄板状の部分であって、その下面の中央部、より正確にはエアゾール容器２の噴射ヘッド３に対向する位置には、下降することにより噴射ヘッド３に当接してこれを押し下げる突出部７が形成されている。
【００２３】
押し下げ部６の中心部を中心とした対称位置、より具体的には互いに平行な直線状の外縁部に、連結部８が繋げられている。この連結部８は、押し下げ部６あるいはキャップ１の全体と同材質の部分であって、矩形平板状もしくは板片状をなしている。そして、押し下げ部６とこの連結部８との境界部９は、屈曲自在に構成されている。その屈曲構造は、例えばその境界部９を薄肉化した構造であればよく、結局、境界部９はヒンジ（蝶番）として機能するように構成されている。
【００２４】
また、上記の連結部８の他方の端部すなわち上記の境界部９とは反対側の端部は、天板部４の一部に繋がれている。天板部４のうち連結部８が繋がれている部分４Ａは、連結部８とほぼ同じ幅の矩形形状の平坦部分であり、連結部８の延長線上に位置している。そして、該部分４Ａは、天板部４の他の部分より一段窪んで形成されている。これは、押し下げ部６を押圧する際に指（図示せず）を挿入し易くして操作性を向上させるためである。なお、以下の説明では、上記の部分４Ａを段差部４Ａと記す。
【００２５】
そして、前記連結部８と段差部４Ａとの境界部１０は、前述した境界部９と同様にヒンジ（蝶番）として機能するものであって、屈曲自在に構成されている。その屈曲構造は、例えばその境界部１０を薄肉化した構造であればよい。したがって、押し下げ部６を押圧していない通常の状態では、押し下げ部６が天板部４とほぼ同じ高さに位置する一方、段差部４Ａが天板部４の他の部分に対して一段低くなっているので、これら押し下げ部６と段差部４Ａとの間に配置されている連結部８は、通常状態では、押し下げ部６側の端部が高くなるように傾斜している。
【００２６】
上記の押し下げ部６および連結部８は、ガス抜き操作を行う際にはキャップ１の内側に下降する可動部となる。このような押し下げ部６と連結部８との移動を許容するための構成は適宜選択可能であり、例えば押し下げ部６および連結部８を天板部４に対して、破断の容易な弱化部で連結した構成とすればよい。あるいは押し下げ部６および連結部８と天板部４との間に予め隙間を設けてもよい。
【００２７】
上記の押し下げ部６は、噴射ヘッド３に向けて移動する必要があるので、このような移動を確実に行わせるためにガイド壁１１が、天板部４の下面（内面）から内部に垂下した状態に設けられている。このガイド壁１１は、押し下げ部６および連結部８を挟んだ両側に設けられており、押し下げ部６の円弧状の輪郭に倣った凹曲面状の部分と連結部８の直線状の側部に倣った平面状の部分とから構成されている。また、ガイド壁１１と押し下げ部６および／または連結部８とは、押し下げ部６に押し下げ力を加えると、破断可能な状態に連結されていても良い。そして、その凹曲面状の部分の内面には、押し下げ部６をガス抜き位置まで押し下げた場合に押し下げ部６に係合してその上昇移動を阻止する係止部としての突条部１２が形成されている。この突条部１２は、押し下げ部６を上側から下側に通過させ、かつ下側から上側への移動を阻止するものであるから、その上面および下面が共に斜め下向きに傾斜した面をなすなど、所期の機能を奏する断面形状とすることが好ましい。
【００２８】
この突条部１２は、押し下げ部６を下降位置に留め置くためのものであり、その下降位置は、前記突出部７が噴射ヘッド３に当接するとともこれを押し下げてエアゾール容器２から内容物を噴射させる位置である。また、押し下げ部６が前記段差部４Ａより下がった位置である。したがって、連結部８を前記段差部４Ａに繋いでいる境界部１０は、押し下げ部６のストローク範囲での中間部に位置している。
【００２９】
なお、前記側面部５の内面には、縦方向（軸線方向）に沿う複数条のリブ１３が形成されており、それぞれのリブ１３の下端部には、エアゾール容器２の上部外面に設けた突起部１４に係合する凹部１５が形成されている。したがって、これらのリブ１３同士の間および突起部１４同士の間には隙間が開いており、ここからガスを外部に排出できるようになっている。なお、押し下げ部６および連結部８とガイド壁１１との間にも隙間を形成できるので、この隙間からガスをキャップ１の外部に排出することもできる。
【００３０】
上記のキャップ１は、ポリエチレンやポリプロピレンなどの合成樹脂によってその全体が形成されており、そのため各部分が幾分弾性変形可能である。したがって、エアゾール容器２の上部に図１および図２に示すように被せると、前記突起部１４によって側面部５が押し広げられ、その後、リブ１３に形成した凹部１５が突起部１４に嵌り込むので、キャップ１がエアゾール容器２の上部に取り付けられ、噴射ヘッド３がキャップ１によって覆われて保護される。
【００３１】
エアゾール容器２の内部に残留しているガスを抜く場合には、キャップ１を上記のようにエアゾール容器２に取り付け、すなわち通常時と同様の状態でキャップ１をエアゾール容器２に被せる。その状態では、押し下げ部６およびこれに形成した突出部７が噴射ヘッド３に対向する上部に位置している。この状態では、前述したように、連結部８が押し下げ部６側で上向きとなるように傾斜しているので、押し下げ部６に対する押圧力の反力を連結部８が受けることになる。そのため、通常時に押し下げ部６が不用意に、あるいは意図せずに下降したり、それに伴ってガス抜きが生じてしまうことが抑制される。ガス抜き時に、連結部８による反力に抗して押し下げ部６を押圧すると、押し下げ部６がキャップ１の内部に下降する。その場合、前述したガイド壁１１によって押し下げ部６および連結部８が、噴射ヘッド３に向けて案内される。
【００３２】
押し下げ部６をこのように下降させる操作は、押し下げ部６の上面に指を添えて押圧することにより行うことができる。その場合、押し下げ部６だけでなくこれに繋がっている連結部８がキャップ１の内部に向けて傾斜するように動作し、しかも段差部４Ａが天板部４の他の部分より下がっているので、指を入れるエリアが広くなっており、そのため押し下げ部６の押圧操作を容易に行うことができ、また爪を長く伸ばしている場合であっても同様に押圧操作を容易に行うことができる。
【００３３】
押し下げ部６を、図２に示すように、ガイド壁１１の内面に形成した突条部１２を超える位置まで押し下げると、突出部７が噴射ヘッド３の上面に当接するとともに噴射ヘッド３を押し下げるので、エアゾール容器２の内容物が噴射ヘッド３からキャップ１の内部に噴射される。すなわち、残留ガスが排出される。そして、この残留ガスは、キャップ１とエアゾール容器２との間の隙間や押し下げ部６および連結部８と天板部４との間の隙間などからキャップ１の外部に排出される。
【００３４】
この状態では、押し下げ部６が突条部１２に係合してその上昇を阻止されているので、噴射ヘッド３の上昇力が押し下げ部６に作用しても押し下げ部６および噴射ヘッド３が上昇することがなく、したがって押し下げ部６に対する押圧力を解除しても噴射ヘッド３を押し下げてガス抜きを継続させることができる。また、連結部８は、前述したように、押し下げ部６側の端部が下側となるように傾斜した状態となるので、噴射ヘッド３による押し上げ力に対する反力を連結部８で受け、押し下げ部６の上昇移動に対する抵抗力を示すので、ガス抜き状態を確実に維持することができる。
【００３５】
上述したように、本発明に係るキャップ１によれば、噴射ヘッド３の上面を押圧してガス抜きを行うので、ガス抜きに先行して噴射ヘッド３を取り外す必要がない。そのため、ガス抜きの作業性が良好になり、また噴射ヘッド３を取り外すことのできないエアゾール容器２にも適用することができる。また、本発明に係るキャップ１は、上述したように、湾曲した薄肉部や湾曲して入り組んだ部分などがないので、射出成形する場合であってもキャビティに対する樹脂の充填性が良好になり、その結果、ショートモールドなどの成形不良が生じにくい製造性の良好なキャップとすることができる。
【００３６】
そして、上記のキャップ１では、押し下げ部６を中心とした対称位置となる両側に連結部８および段差部４Ａが続いた形状となり、これが天板部４のアクセントとなるなど外観のデザイン性が格段に向上する。
【００３７】
つぎにこの発明の他の例を説明する。図３に示す例は、連結部８の構造と、キャップ１をエアゾール容器に被せた状態に係止するための構造とを、上述した例とは異ならせた例であり、したがって図３に示す構成のうち上述した図１および図２に示す構成と同様の部分には図３に図１および図２の符号と同様の符号を付してその説明を省略する。図３に示すキャップ１では、その連結部８が図１および図２に示す例におけるよりも長く形成されており、またその連結部８は柔軟構造とされている。すなわち、図３に示すキャップ１における連結部８は、その少なくとも一部が、キャップ１の天板部４や側面部５などのいわゆる本体部分よりも剛性が低くなるように構成されている。具体的には、図４に示すように、連結部８の内面の中央部、すなわち各境界部９，１０の中間部で薄肉化され、この部分が柔軟部８ａとされている。この柔軟部８ａは、押し下げ部６に加えられる押圧力が中心からずれている場合に連結部８の捻れを許容して押し下げ部６やこれと一体の前記突出部７を傾かせるためのものであり、したがって連結部８の全体を薄肉化してもよい。
【００３８】
連結部８を上記のように柔軟構造としたことに伴って押し下げ部６を天板部４に繋ぎ止めておく構造が設けられている。その一例を図６および図７に示してある。具体的に説明すると、各連結部８における押し下げ部６側の端部の左右両側に、天板部４もしくは前記ガイド壁１１などの天板部４と一体の部分に連結されているブリッジ部１７が一体に形成されている。このブリッジ部１７は、搬送時の振動などでは破断せずに、押し下げ部６を指などで押圧した場合には破断する程度の強度に設定された幅が１ｍｍ程度の微小な繋ぎ部であって、図６および図７に示す例では、天板部４側で幅が狭くなる台形形状もしくは三角形状をなしている。
【００３９】
上記の図３ないし図７に示す構成のキャップ１は、図示しないエアゾール容器に被せることにより、その上端部のノズル部を被い、これを保護する。その場合、前述した係止部１６がエアゾール容器の上端部に係止し、キャップ１がエアゾール容器に取り付けられた状態を維持する。この状態では、前記連結部８が柔軟であっても、ブリッジ部１７が押し下げ部６を天板部４に連結しているので、押し下げ部６が下がることはない。
【００４０】
また、キャップ１をエアゾール容器に取り付けた状態で、その押し下げ部６を押圧すると、突出部７がノズル部に接触していないことにより、ブリッジ部１７が破断して押し下げ部６がノズル側に押し下げられる。その場合、突出部７がノズル部に当接すると、ノズル部から反力を受けるので、押し下げ部６に対する押圧力とノズル部からの反力とによって押し下げ部６および突出部７を傾ける力が作用する。それに伴って、連結部８が捻れて押し下げ部６や突出部７の傾きが生じ易くなる。そのために、キャップ１をエアゾール容器に被せたまま、押し下げ部６を押圧した場合には上記の傾きなどによってノズル部に対して押圧力が安定して作用しないので、エアゾール容器からガスを安定して噴射させることができない。すなわち、誤って押し下げ部６を押圧したり、悪戯で押し下げ部６を押圧したりしても、内容物が継続もしくは安定して噴射することを防止することができる。言い換えれば、前記突条部１２に係合するまで押し下げ部６を押圧することが困難であり、誤操作や悪戯などに対する防止機能が優れている。
【００４１】
エアゾール容器からいわゆるガス抜きを行う場合、キャップ１を取り付けたままでは、上記のように、前記押し下げ部６を安定して押し下げることができないので、キャップ１をエアゾール容器から取り外し、その状態で押し下げ部６を押圧する。そうすると、前述したブリッジ部１７が破断し、押し下げ部６がキャップ１の内部に押し下げられる。その場合、その押し下げ操作に対する抵抗力が特には作用しないので、押し下げ部６やこれと一体の突出部７が傾くことなく押し下げられる。そして、押し下げ部６の周辺部が、ガイド壁１１の内面に形成されている突条部１２を押し広げてその下側に係合する。すなわち、突条部１２に引っ掛かって上側への移動が阻止された状態となる。
【００４２】
押し下げ部６をこのようにキャップ１の内部に押し下げかつ突条部１２に係止した状態で、キャップ１をエアゾール容器のノズル側に被せる。その場合、突出部７が押し下げ部６と共に下がっているので、キャップ１をエアゾール容器に完全に被せる前に突出部７がノズル部に当接するので、キャップ１を更に強く押圧することにより、ノズル部が押し下げられ、エアゾール容器の内部からガスが噴出し始める。したがって、押し下げ部６にはノズル部から上向きの力が作用するが、押し下げ部６はそのいわゆる上面部分の半周もしくはそれ以上の周辺部が突条部１２に係合しているので、ノズル部を押圧している状態を安定して維持する。
【００４３】
また、キャップ１は、その側面部５の内面の下部に形成された係止部１６が、前述した図１および図２に示す構成と同様に、エアゾール容器の巻締部などに係合し、エアゾール容器に被せた状態に維持される。なお、キャップ１をエアゾール容器に取り付けた状態を係止部１６によって維持できない場合には、キャップ１をエアゾール容器側に押圧して、ノズル部を押し下げた状態を維持し、ガス抜き継続する。なお、エアゾール容器から噴射された残留ガスは、キャップ１とエアゾール容器との間の隙間や押し下げ部６および連結部８と天板部４との間の隙間などからキャップ１の外部に排出される。
【００４４】
したがって、図３ないし図７に示すように構成した場合には、押し下げ部６をキャップ１の内部に押し下げた状態で、キャップ１をエアゾール容器に被せることにより、残留ガスを容易かつ確実に排出することができる。すなわち、残留ガスを排出させるためには、キャップ１をエアゾール容器から取り外し、その状態で押し下げ部６を突条部１２に係合するまで押し下げ、さらに再度エアゾール容器に被せる操作を行うことになり、前記連結部８を柔軟構造にしたことと相まって、誤操作や悪戯などによる内容物の噴射を防止する機能に優れている。さらに、押し下げ部６をキャップ１の内部に一旦押し下げると、前記ブリッジ部１７が破断するので、ブリッジ部１７が、未使用状態を表示するピリファープルーフ機能（テンパーエビデンス機能）を奏し、併せて押し下げ部６を天板部４に連結した状態を維持できるので、搬送時に押し下げ部６が上下に動くなどのことを防止して、搬送時に押し下げ部６が押し下げられて内容物が噴射されるようなトラブルなどが発生しない。
【００４５】
なお、本発明は上述した具体例に限定されないのであって、押し下げ部によって押圧する噴射部は、上記の噴射ヘッド以外に、噴射ヘッドが取り付けられるノズル部もしくはステムであってもよい。また、押し下げ部の形状は円形もしくは半円形などに限定されず、矩形などの適宜の形状であってよい。また、連結部の形状も必要に応じて適宜の形状とすることができる。さらに、ブリッジ部の位置や数は、上記の具体例で示した位置や数に限られないのであって、デザインや製造性を考慮して適宜の位置に、必要数を形成することができる。
【図面の簡単な説明】
【００４６】
【図１】本発明の一例を示す断面図である。
【図２】ガス抜きを行っている状態を示す断面図である。
【図３】本発明の他の例を示す断面図である。
【図４】その連結部を拡大して示す部分断面図である。
【図５】図３に示すキャップを９０°異なる位置で切断した形状を示す断面図である。
【図６】図３に示すキャップの平面図である。
【図７】ブリッジ部を拡大して示す部分図である。
【符号の説明】
【００４７】
１…キャップ、  ２…エアゾール容器（スプレー缶）、  ３…噴射ヘッド、  ４…天板部、  ５…側面部、  ６…押し下げ部、  ７…突出部、  ８…連結部、  ８ａ…柔軟部、  ９…境界部、  ４Ａ…段差部、  １０…境界部、  １２…突条部、  １６…係止部、  １７…ブリッジ部。
【図１】
2007126211.tif 000003
【図２】
2007126211.tif 000004
【図３】
2007126211.tif 000005
【図４】
2007126211.tif 000006
【図５】
2007126211.tif 000007
【図６】
2007126211.tif 000008
【図７】
2007126211.tif 000009